(57)【要約】【課題】  巡回流形成のための機構が極めて単純で安価であり、水流速度も温和で、稚魚や稚エビの養生に適した陸上養殖用池構造と、それを用いた陸上養殖方法とを提供する。【解決手段】  流入口５より入った水が主散気部３からの気流ＡＦにより池本体２の側壁に沿って迂回しつつ流出口４に流れ、池本体２の側壁内周に沿った緩やかな巡回流を定常的に形成できる。極めて簡単な機構によりながら、酸欠等の水流死角が池本体２内に形成されにくくなり、より個体数密度の高い陸上養殖が可能となる。また、形成される水流は緩やかであり、稚エビや稚魚など養殖対象種が小さい場合も、水流に逆らった遊泳が容易となり、ストレスが溜まりにくく、死滅率の低い健全な養殖状態を維持できる。【選択図】  図１１
2019068791.tif 000002
【特許請求の範囲】
【請求項１】
方形の底部を有するとともにその周縁に沿って側壁が形成された池本体と、前記池本体を満たす水中に沈める形で前記底部上に配置され、外部から供給される酸素含有気体を水面に向けて噴き上げる主散気部と、一端に前記池本体の水を流出させる流出口が形成され、他端に前記池本体に水を流入させる流入口が形成された循環管路と、前記循環管路上に設けられた循環ポンプとを備え、
前記池本体の方形の平面外形線において、互いに隣接する二辺のうち第一辺に沿う向きを幅方向、第二辺に沿う向きを奥行方向と定義したとき、前記循環管路の前記流入口が前記奥行方向第一端側にて前記幅方向第一端側に寄せて開口形成される一方、前記流出口が前記幅方向第二端側にて、前記奥行方向における前記流入口と前記奥行方向第二端側壁部との間に位置するように開口形成され、
前記主散気部の前記底部における配置位置が、前記奥行方向においては前記奥行方向第二端側壁部からの距離が前記流入口と前記流出口とを結ぶ仮想線からの距離よりも小さくなり、かつ、前記幅方向においては幅方向中心線からの距離が、前記流入口及び前記流出口のいずれからの距離よりも小さくなるように定められ、
前記主散気部が形成する、前記奥行方向第二端側壁部と幅方向第二端側壁部とに沿う壁面流に、前記流入口からの流れの一部を取り込みつつ合流させ、前記流入口から幅方向第一端側壁部、前記奥行方向第二端側壁部及び前記幅方向第二端側壁部に順次沿って前記流出口に向けて流れる迂回巡回流を形成するようにしたことを特徴とする陸上養殖用池構造。
【請求項２】
前記幅方向中心線よりも前記幅方向第一端側壁部寄りにて、前記奥行方向における前記流入口と前記主散気部との間に補助散気部が配置されてなる請求項１記載の陸上養殖用池構造。
【請求項３】
前記流出口は、前記奥行方向において奥行方向中心線からの距離が、前記流入口からの距離及び前記奥行方向第二端側壁部からの距離のいずれよりも小さくなるように形成位置が定められている請求項１又は請求項２に記載の陸上養殖用池構造。
【請求項４】
前記池本体は、池上面開口に沿って配置される懸架枠と接地面上にて前記懸架枠を下方から支持する支持柱体とを備えた支持枠体と、可撓姓樹脂シートにて前記底部と前記側壁とを一体的に形成するとともに、前記側壁をなす樹脂シート部分の上縁が前記懸架枠に結合され、内部に注水された状態にて前記支持枠体に懸架状態で支持される簡易貯水部とを備え、
前記流出口が前記簡易貯水部の前記側壁をなす樹脂シートを貫通する形で開口形成されてなる請求項１ないし請求項３のいずれか１項に記載の陸上養殖用池構造。
【請求項５】
前記循環管路は、前記流出口の形成側末端が前記簡易貯水部の前記側壁の上部に結合されるとともに、該側壁を貫通する形で前記流出口を開口するものであり、
前記簡易貯水部内に貯留される水の上層部分を、該流出口を経て前記循環管路内に流入させるようになっている請求項４記載の陸上養殖用池構造。
【請求項６】
前記循環管路は、前記流入口の形成側末端が前記簡易貯水部の上方に配置されるとともに前記流入口を前記簡易貯水部内の水面に向けて下向きに開口するものである請求項４又は請求項５に記載の陸上養殖用池構造。
【請求項７】
前記循環管路は、前記流出口から前記簡易貯水部の接地面よりも下方に位置する揚水ポイントまで単調に下る形で配設され、前記揚水ポイントに設けられた前記循環ポンプにより前記簡易貯水部内の水面よりも上方に循環水を汲み上げつつ前記流入口に導くようにした請求項６記載の陸上養殖用池構造。
【請求項８】
前記循環管路の前記揚水ポイントよりも上流側に位置する部分の一部が、前記簡易貯水部の側方にて前記接地面から掘り下げ形成された槽収容凹部内に配設され、該槽収容凹部内に循環水を濾過する濾過槽が設けられてなる請求項７記載の陸上養殖用池構造。
【請求項９】
前記簡易貯水部は、水を満たした状態において、前記側壁の下部から前記底部の外周縁に連なる移行部分の垂直断面形状が、外向きに凸となるアール面状に形成されてなる請求項４ないし請求項８のいずれか１項に記載の陸上養殖用池構造。
【請求項１０】
前記簡易貯水部は、水を満たした状態にて前記底部の接地部が前記側壁の上部開口よりも小さくなるように前記移行部分の形状が調整され、前記垂直断面形状において前記側壁は貯留水圧に基づき、上縁側から下縁側に向けて下り勾配形状にて外向きに張り出した後、極大点を経て内向きに収縮する形でアール面状の前記移行部分を形成しつつ前記接地面の外周縁に連なる膨出形態とされてなる請求項９記載の陸上養殖用池構造。
【請求項１１】
前記簡易貯水部の前記移行部分の内面に可撓性樹脂よりなる補強シートが積層されてなる請求項１０記載の陸上養殖用池構造。
【請求項１２】
前記支持枠体において前記支持柱体は、前記簡易貯水部の前記側壁の上側部分に接する形で前記極大点よりも外側に位置する接地点に向け外向きに下る傾斜形態で配設されてなり、該支持柱体の下端部と前記底部の接地部分外縁とが、可撓姓樹脂シートからなる底部支持体により突っ張り形態にて結合されてなる請求項１１記載の陸上養殖用池構造。
【請求項１３】
前記簡易貯水部の前記底部上に貯留水の加熱機構が配設されてなる請求項４ないし請求項１２のいずれか１項に記載の陸上養殖用池構造。
【請求項１４】
前記加熱機構は、前記底部上に配設される液状加熱媒体の流通管路と、前記簡易貯水部の外に設けられ前記液状加熱媒体を昇温する媒体昇温部と、該媒体昇温部と前記流通管路との間で前記液状加熱媒体を循環送液させる媒体循環ポンプとを備えてなり、前記貯留水は前記流通管路壁を介した前記液状加熱媒体からの伝熱により加熱される請求項１３記載の陸上養殖用池構造。
【請求項１５】
請求項１ないし請求項１４のいずれか１項に記載の陸上養殖用池構造を使用し、前記池本体に魚類又は甲殻類よりなる被養殖物を前記迂回巡回流中にて遊泳させつつ養殖することを特徴とする陸上養殖方法。
【請求項１６】
前記被養殖物が前記迂回巡回流に逆らって遊泳するエビである請求項１５記載の陸上養殖方法。
【請求項１７】
前記エビがバナメイエビである請求項１６記載の陸上養殖方法。
【請求項１８】
請求項４ないし請求項１４のいずれか１項に記載の陸上養殖用池構造を使用し、前記簡易貯水部を土面上に配置する請求項１４ないし請求項１７のいずれか１項に記載の陸上養殖方法。
【請求項１９】
前記土面と前記簡易貯水部の底部との間に断熱材層を配置する請求項１８記載の陸上養殖方法。
【発明の詳細な説明】
【技術分野】
【０００１】
この発明は陸上養殖用池構造及びそれを用いた陸上養殖方法に関するものである。
【背景技術】
【０００２】
陸上養殖用の池構造（水槽）に関し、酸欠等の水流死角の形成を抑制したり、稚エビなどを水流に逆らって遊泳させことでその脱皮を促したりする目的で、池内に巡回流を発生させる機構を備えたものが種々提案されている。その方式には大別して２つあり、特許文献１、２には、円形ないし正方形状の水槽を用い、水巡回の接線方向に気流を噴出する散気管を池の側壁内周方向に沿って複数配置する方式が開示されている。
【０００３】
一方、特許文献３〜６には、長円形状の池の幅方向中央を池長手方向に沿う壁部で仕切ることにより、円弧状の池の両端部分を水流の方向変換部とする形で池内周縁に沿った巡回経路を形成し、その途中に水流ポンプないし一方向に気流を噴射する散気管を配置し、該経路に沿った巡回流を発生させる方式が開示されている。
【先行技術文献】
【特許文献】
【０００４】
【特許文献１】特開２００３−２６５０６５号公報
【特許文献２】特許        ３０５３７９３号公報
【特許文献３】特開２００３−２３５３９１号公報
【特許文献４】特開２００３−２８４４５１号公報
【特許文献５】特開２００５−  ９５１３７号公報
【特許文献６】特開２０１１−０１０６４５号公報
【発明の概要】
【発明が解決しようとする課題】
【０００５】
しかしながら、特許文献１及び２に開示された方式は、池の内周縁形状に合わせた散気管をその都度作成したり、あるいは巡回流の確実な形成のために周方向に沿って多数の散気部を配置したりしなければならず、大きなコストアップにつながる欠点がある。また、水に巡回経路の全周に沿って多数の散気ポイントが形成されることから、巡回水流速度が大きくなりすぎ、稚エビや稚魚など養殖対象種が小さい場合は、水流に逆らった遊泳が困難となり、ストレスが溜まりやすくなる懸念もある。
【０００６】
一方、特許文献３〜６の長円形の池を用いる方法は、横長でかつ中央に仕切り壁を設けた特殊な池構造が常に必要となる。また、長円形の池の内側を長手方向に往復する巡回経路の総延長が大きく、巡回流形成のための散気量やポンプ流量も大きく設定しなければならない。これらは、いずれも池構造全体のコストアップを招く要因となる。
【０００７】
本発明の課題は、巡回流形成のための機構が極めて単純で安価であり、水流も温和で稚魚や稚エビの養生に適した陸上養殖用池構造と、それを用いた陸上養殖方法とを提供することにある。
【課題を解決するための手段】
【０００８】
上記課題を解決するために、本発明の陸上養殖用池構造は、
方形の底部を有するとともにその周縁に沿って側壁が形成された池本体と、池本体を満たす水中に沈める形で底部上に配置され、外部から供給される酸素含有気体を水面に向けて噴き上げる主散気部と、一端に池本体の水を流出させる流出口が形成され、他端に池本体に水を流入させる流入口が形成された循環管路と、循環管路上に設けられた循環ポンプとを備え、
池本体の方形の平面外形線において、互いに隣接する二辺のうち第一辺に沿う向きを幅方向、第二辺に沿う向きを奥行方向と定義したとき、循環管路の流入口が奥行方向第一端側にて幅方向第一端側に寄せて開口形成される一方、流出口が幅方向第二端側にて、奥行方向における流入口と奥行方向第二端側壁部との間に位置するように開口形成され、
主散気部の底部における配置位置が、奥行方向においては奥行方向第二端側壁部からの距離が流入口と流出口とを結ぶ仮想線からの距離よりも小さくなり、かつ、幅方向においては幅方向中心線からの距離が、流入口及び流出口のいずれからの距離よりも小さくなるように定められ、
主散気部が形成する、奥行方向第二端側壁部と幅方向第二端側壁部とに沿う壁面流に、流入口からの流れの一部を取り込みつつ合流させ、流入口から幅方向第一端側壁部、奥行方向第二端側壁部及び幅方向第二端側壁部に順次沿って流出口に向けて流れる迂回巡回流を形成するようにしたことを特徴とする。
【０００９】
また、本発明の陸上養殖方法は、上記本発明の陸上養殖用池構造を使用し、池本体に魚類又は甲殻類よりなる被養殖物を迂回巡回流中にて遊泳させつつ養殖することを特徴とする。
【００１０】
上記の位置関係で水循環のための流入口及び流出口とを池本体に形成し、池底部に上記の位置関係で主散気部を配置することで、流入口より入った水が主散気部からの気流により池本体の側壁に沿って迂回しつつ流出口に向かう流れが形成され、ひいては池本体の側壁内周に沿った緩やかな巡回流を定常的に形成できるようになる。その結果、極めて簡単な機構によりながら、酸欠等の水流死角が池本体内に形成されにくくなり、より個体数密度の高い陸上養殖が可能となる。また、形成される水流は緩やかであり、稚エビや稚魚など養殖対象種が小さい場合も水流に逆らった遊泳が容易となり、ストレスが溜まりにくく、死滅率の低い健全な養殖状態を維持できる。本発明の陸上養殖方法の対象は特に限定されるものではないが、水流に逆らった遊泳を好み、それによって脱皮が促されるエビ、特に稚エビ段階での養殖に使用するのが好ましい。わけても、個体数密度を高めやすいバナメイエビの陸上養殖には好適である。
【００１１】
なお、流入口と流出口は、各々複数孔の開口として形成することも可能である。この場合、流入口と流出口の空間的な位置は、複数の開口の中心（幾何学的重心）の空間的な平均座標点により定められるものとする。
【００１２】
この発明の陸上養殖用池構造において、上記のような迂回巡回流が顕著に形成される理由は次のごとくである。すなわち、池本体はごく単純な方形平面形状に形成され、中の貯留水は池外部の循環管路を経てポンプにより循環流動される。その循環のための水の流入口は、奥行方向第一端側にて幅方向第一端側に寄せて開口形成される。他方、流出口は幅方向第二端側にて、流入口と奥行方向第二端側壁部との間に位置するように開口形成される。幾何学的な厳密性を無視して表現すれば、奥行方向第一端側の一方の角部付近にある流入口から池本体内に水が入り、幅方向においてこれと反対側にある側壁部（幅方向第二側壁部）の中間付近に開口する流出口から水が流れ出るイメージである。これにより、前記角部から池本体に入った水は、反対の側壁部中間付近に向け、上記の仮想線に沿って斜めに流れようとする。
【００１３】
他方、池の底部には、奥行方向においては奥行方向第二端側壁部からの距離が流入口と流出口とを結ぶ上記仮想線からの距離よりも小さくなり、かつ、幅方向においては、幅方向中心線からの距離が、流入口及び流出口のいずれからの距離よりも小さくなる位置に主散気部が配置される。これにより、池本体の幅方向の中間付近にて、流入口と流出口とを直結する仮想線（静的には水が最も流れやすい方向）から奥行方向に離間した位置に、気流が水面に向けて噴き上げられる。
【００１４】
例えば奥行方向にて手前幅方向の一方（例えば、左側とする）の角に流入口が位置するように池本体をみたとき、池奥側の水は幅方向他方（例えば右側とする）の側壁部中間に形成された流出口に向けて流れようとするが、上記主散気部からの放射状の気流により、奥側の側壁部（池奥方向第二側壁部）及び右側の側壁部（幅方向第二側壁部）に押しやられ、これら両側壁部に沿う壁面流を形成する。該壁面流により失われる池奥左側の水は、流入口から池奥側に向かう流れの一部を取り込むことで補われる。その結果、流入口から左側の側壁（幅方向第一端側壁部）、奥側の側壁（奥行方向第二端側壁部）及び右側の側壁（幅方向第二端側壁部）に順に沿って流出口に流れ込む迂回巡回流が形成されることとなる。
【００１５】
以下、本発明の陸上養殖用池構造と、それを用いた陸上養殖方法とにおいて、さらに付加可能な種々の要件について説明する。まず、本発明の陸上養殖用池構造には、幅方向中心線よりも幅方向第一端側壁部寄りにて、奥行方向における流入口と主散気部との間に補助散気部を配置することができる。このような補助散気部からの気流により、流入口から流出口へ直接向かおうとする流れの一部を、巡回流区間をなす幅方向第一端側壁部の側に誘導することができ、迂回巡回流の形成をより顕著なものとすることができる。
【００１６】
流出口が流入口の幅方向真正面に位置していると、水は池の内側をほとんど通らずに、奥行方向端部の側壁に沿って短絡して流れてしまい、迂回巡回流の形成が困難となる。一方、流入口に対し流出口が対角線方向反対側に位置している場合も、流通抵抗となる主散気部の両側に流れが多少迂回するだけで流出口に直接流れてしまい、巡回流の顕著な形成は見込めない。したがって、流出口は、奥行方向において、奥行方向中心線からの距離が、流入口からの距離及び奥行方向第二端側壁部からの距離のいずれよりも小さくなるように（つまり、幅方向第二側壁部の中央付近に対応する領域に）形成位置を定めておくことが、迂回巡回流を顕著に形成する観点において望ましい。
【００１７】
池本体は、池上面開口に沿って配置される懸架枠と接地面上にて懸架枠を下方から支持する支持柱体とを備えた支持枠体と、可撓姓樹脂シートにて底部と側壁とを一体的に形成するとともに、側壁をなす樹脂シート部分の上縁が懸架枠に結合され、内部に注水された状態にて支持枠体に懸架状態で支持される簡易貯水部とを備えたものとして構成できる。この場合、流出口は簡易貯水部の側壁をなす樹脂シートを貫通する形で開口形成することができる。可撓姓樹脂シートからなる簡易貯水部とその支持枠体で池本体を形成することで、陸上養殖用池構造の基本構成は大幅に軽量化かつ単純化できる。このような簡易貯水部は、樹脂シート製の側壁に流出口を貫通形成することが容易であり、水面と平行な流れ成分を主体に池本体内の水を流出口から排出でき、単に構成が簡易であるばかりでなく、本発明特有の巡回流の形成にも有利に貢献する。特に、循環管路の流出口の形成側末端を簡易貯水部の側壁の上部に結合し、該側壁を貫通する形で流出口を開口させるとともに、簡易貯水部内に貯留される水の上層部分を、該流出口を経て循環管路内に流入させるようにしておくと、湧き上がった後放射状の水面流を作る主散気部からの気流と、上層部の水を流出口から側方に導く流れとを、迂回巡回流の形成のためにより連携させやすくなる。
【００１８】
また、循環管路は、流入口の形成側末端が簡易貯水部の上方に配置されるとともに流入口を簡易貯水部内の水面に向けて下向きに開口するように形成しておくとさらによい。簡易貯水部に対し液面上方から水を流下させることにより、簡易貯水部の側壁部に流入口を孔設するための加工が不要となるばかりでなく、落下した水流を液面に沿って緩やかに広げることができる。その結果、形成される迂回巡回流の速度との整合も取りやすく、流入水特有の激流により被養殖物が受けるストレスを緩和することができる。
【００１９】
この場合、循環管路は、流出口から簡易貯水部の接地面よりも下方に位置する揚水ポイントまで単調に下る形で配設でき、揚水ポイントに設けられた循環ポンプにより簡易貯水部内の水面よりも上方に循環水を汲み上げつつ流入口に導くよう構成できる。流出口から接地面よりも下方の揚水ポイントまで下り形態の循環管路区間を設けることで、池本体から流出する水の位置エネルギーをより大きく確保することができ、迂回巡回流のより顕著な形成に貢献する。また、この下り形態の循環管路区間を利用してここに濾過槽を設けると、濾過槽の通過圧損が水の位置エネルギーにより補われるので、その通水速度が高められ濾過効率を向上することができる。この場合、循環管路の揚水ポイントよりも上流側に位置する部分の一部を、簡易貯水部の側方にて該簡易貯水部の接地面から掘り下げ形成された槽収容凹部内に配設し、該槽収容凹部内に循環水を濾過する濾過槽を設けておくと大型の濾過槽の設置も容易となる。
【００２０】
次に、簡易貯水部は、水を満たした状態において、側壁の下部から底部の外周縁に連なる移行部分の垂直断面形状を、外向きに凸となるアール面状に形成することができる。簡易貯水部の下部にこのようなアール面状の部分を形成しておくことで、池底部付近によどみが生じにくくなり、迂回巡回流の水深方向への広がりも確保しやすくなる。また、エビ（特に稚エビ）はこうしたアール面形状の区域に好んで集まって遊泳する習性があり、水中での活動を活発化させ、脱皮促進も図ることができる。さらに、アール面形状の区域は、エビを貯水部から収穫する際も網をふるいやすく、特に遊泳方向後ろ側（エビは流れに逆らって泳ぐので、迂回巡回流を前方から受け止める向きとなる）から網ですくうと、一度に大量のエビを網内に導くことができ、収穫時の作業効率を高めることができる。
【００２１】
上記のようなアール面形状の区域は、可撓性樹脂シートで構成された簡易貯水部を水で満たしたときに、側壁が水平方向に膨出する現象を利用すれば、より簡易に形成することができる。具体的には、簡易貯水部は、水を満たした状態にて底部の接地部が側壁の上部開口よりも小さくなるように移行部分の形状を調整しておくことができる。そして、垂直断面形状において上記の側壁は貯留水圧に基づき、上縁側から下縁側に向けて下り勾配形状にて外向きに張り出した後、極大点を経て内向きに収縮する形でアール面状の移行部分を形成しつつ接地面の外周縁に連なる膨出形態とすることができる。これにより、注水後の移行部分のアール面の半径をより大きく確保でき、前述の効果をさらに顕著に達成することが可能となる。
【００２２】
ただし、アール面状の移行部分は水圧に由来した展張力が相当なレベルに達するので、その移行部分の内面に補強材、例えば可撓性樹脂よりなる補強シートを積層しておくことが望ましい。また、支持枠体における支持柱体は、簡易貯水部の側壁上側部分に接する形で極大点よりも外側に位置する接地点に向け外向きに下る傾斜形態で配設されることになる。このような傾斜形態の支持柱体で、注水された簡易貯水部を支持するためには、構造学的に考えた場合、該支持柱体の下端部と底部の接地部分外縁とを底部支持体（例えば可撓姓樹脂シートにて形成されるもの）により突っ張り形態にて結合した構造としておくことが望ましい。すなわち、満水状態の簡易貯水部は静水圧により側方に膨らみつつ、高さ方向にはつぶれる形で変形しようとする。他方、外向き斜めに配設された支持柱体の全長は一定なので、簡易貯水部の高さ減少を伴うつぶれ変形により、支持柱体は外向きに開きつつ、その接地点が底部の接地部分外縁から遠ざかろうとする。そこで、支持柱体の下端部と底部の接地部分外縁とを可撓姓樹脂シートからなる底部支持体により結合しておくと、簡易貯水部のつぶれ変形力が底部支持体の突っ張り力に変換され、注水された簡易貯水部を強固に支持することができる。
【００２３】
また、上記のような簡易貯水部を土面上に配置すると、冬季や寒冷地での陸上養殖を遂行するにあたっても、接地面の冷気により貯留された水の底部が極度に冷たくなる不具合を解消することができる。特に、エビ養殖の場合、側壁の下部から底部外周縁に連なる移行部分をアール面状とすれば、該部分を好むエビが簡易貯水部の底部付近に集まる傾向が高くなる。このとき、池本体の底部が蓄冷能の大きいコンクリート壁等で形成されていると、温水（例えば２５℃以上２８℃以下）を好むエビの活動が鈍ったり、衰弱したりする不具合を招く可能性も高くなる。しかし、上記の簡易貯水部の底部は蓄冷能の低い可撓性樹脂シートであり、冷えにくい土面と接することで底部付近の水温を適温に維持しやすくなる。また、土面からの冷却作用が大きい場合には、土面と簡易貯水部の底部との間に断熱材層を配置することで、水温調整はさらに容易になる。
【００２４】
この場合、簡易貯水部の底部上に貯留水の加熱機構を配設しておけば、底部付近の水温を高める効果はさらに顕著となる。この加熱機構は、底部上に配設される液状加熱媒体の流通管路と、簡易貯水部の外に設けられ液状加熱媒体を昇温する媒体昇温部と、該媒体昇温部と流通管路との間で液状加熱媒体を循環送液させる媒体循環ポンプとを備えたものとして構成でき、貯留水は流通管路壁を介した液状加熱媒体からの伝熱により加熱することができる。このような液状加熱媒体を用いた加熱機構は、簡易貯水部の底部への設置が容易であり、かつ、流通管路を介した熱交換も穏やかであるため、水温が急上昇したりする問題も生じにくい。特に、流通管路は、樹脂ホースなどの可撓性材料で構成すると簡易貯水部の底部への設置はさらに容易となる。また、液状加熱媒体は温水でもよいが、エチレングリコールなど熱容量の高い有機流体で構成すると、加熱効率をより高めることができる。
【発明の効果】
【００２５】
本発明の作用及び効果の詳細については、「課題を解決するための手段」の欄にすでに記載したので、ここでは繰り返さない。
【図面の簡単な説明】
【００２６】
【図１】本発明の一実施形態にかかる陸上養殖用池構造の平面図。
【図２】同じく側面図。
【図３】同じく正面図。
【図４】池本体の要部を拡大して示す側面図。
【図５】懸架枠と簡易貯水部との結合構造の一例を示す断面図。
【図６】底部支持体による簡易貯水部と支持柱体との結合構造を示す断面図。
【図７】簡易貯水部の底部に形成されるアール面状部分を拡大して示す断面図。
【図８】循環配管の簡易貯水部側壁への取り付け構造の一例を示す断面図。
【図９】加熱機構の詳細を示す説明図。
【図１０Ａ】簡易貯水部への注水方法の説明図。
【図１０Ｂ】図１０Ａに続く説明図。
【図１０Ｃ】図１０Ｂに続く説明図。
【図１１】迂回巡回流が形成される様子を示す説明図。
【図１２】稚エビが水流に逆らって遊泳する様子を示す説明図。
【図１３】循環経路の別の配設形態を示す説明図。
【発明を実施するための形態】
【００２７】
以下、本発明を実施するための形態について、添付の図面を用いて詳細に説明する。
図１は本発明の一実施形態にかかる陸上養殖用池構造の平面図、図２は側面図、図３は正面図である。陸上養殖用池構造１は、池本体２、主散気部３、循環管路６及び循環ポンプ７を要部として構成される。池本体２は、方形（本実施形態では長方形：正方形状でもよい）の底部２ｂを有するとともにその周縁に沿って側壁２ｓが形成されている。図１１に示すように、主散気部３は、池本体２内にて水没させる形で底部２ｂ上に配置され、外部から供給される酸素含有気体を水面に向けて噴き上げる。また、図１に示すように、循環管路６は、一端に池本体２の水を流出させる流出口４が形成され、他端に池本体２に水を流入させる流入口５が形成されており、その途上に循環ポンプ７が設けられている。
【００２８】
図１において、池本体２の長方形状の平面外形線において、互いに隣接する二辺のうち第一辺（短辺）に沿う向きを幅方向、第二辺（長辺）に沿う向きを奥行方向と定義する。循環管路６の流入口５は、奥行方向第一端側（図面下側）にて幅方向第一端側（図面左側）に寄せて開口形成されている。他方、流出口４は、幅方向第二端側（図面右側）にて、流入口５と奥行方向第二端側壁部ＷＢ２との間に位置するように開口形成されている。
【００２９】
流出口４は奥行方向にて２か所に分散して形成されており、その空間的な位置は、２つの流出口４の開口中心の空間座標の平均により代表させる。本実施形態においては、流出口４（上記平均的な位置で見た場合）は、奥行方向において、奥行方向中心線ＯＷからの距離ＤＣが、流入口５からの距離ＤＢ１及び奥行方向第二端側壁部ＷＢ２からの距離ＤＢ２のいずれよりも小さくなるように（つまり、幅方向第二側壁部ＷＡ２の中央付近に対応した領域に）配置されている。
【００３０】
また、主散気部３は、底部２ｂに対し、奥行方向においては奥行方向第二端側壁部ＷＢ２からの距離ＤＡ２が、流入口５と流出口４とを結ぶ仮想線ＶＤＬからの距離ＤＡ１よりも小さくなり、かつ、幅方向においては幅方向中心線ＯＬからの距離ｄｃが、流入口５からの距離ｄａ１及び流出口４からの距離ｄａ２のいずれよりも小さくなるように配置されている。また、本実施形態においては、さらに補助散気部８が、幅方向においては幅方向中心線ＯＬよりも幅方向第一端側壁部ＷＡ１寄りとなり、奥行方向においては流入口５と主散気部３との中間となる位置に配置されている。補助散気部８は２つ配置されており、一方が奥行方向において流出口４と主散気部３との中間となる位置に、他方が同じく流入口４と流出口５との中間となる位置に、それぞれ配置されている。
【００３１】
主散気部３及び補助散気部８は、気孔を多数形成した散気板あるいは連通気孔が多数形成されたセラミック、樹脂ないし金属製の散気モジュール（いわゆるエアストーン）、あるいは旋回流式のマイクロバブルノズルなど周知の構成を有するものであり、気体供給管２０を介してエアポンプ２１により酸素含有気体としての空気が供給されるようになっている。図１１に示すように、散気部３，８より噴出する空気中の酸素は池本体２内の水に溶解し、水中の養殖物ＳＰ（例えばエビ、本実施形態ではバナメイエビとする）が消費する酸素を補うとともに、水中にて噴き上げる気流ＡＦにより、巡回流の形成を補助する役割を果たす。なお、酸素含有気体はボンベ等から供給される純酸素であってもよいし、酸素濃縮装置等により酸素富化された空気であってもよい。
【００３２】
次に、図１〜図３において池本体２は、池上面開口に沿って配置される懸架枠９と接地面ＧＳ（図２及び図３）上にて懸架枠９を下方から支持する支持柱体１０とを備えた支持枠体１１と、可撓姓樹脂シート（例えばポリ塩化ビニル樹脂、ポリプロピレン樹脂、ポリアミド樹脂等）にて底部２ｂと側壁２ｓとが一体的に形成された簡易貯水部１２とを備える。簡易貯水部１２は、側壁２ｓをなす樹脂シート部分の上縁が懸架枠９に結合され、内部に注水された状態にて支持枠体１１に懸架状態で支持される。本実施形態において、簡易貯水部１２は奥行方向寸法が例えば９．８ｍ、幅方向寸法が４．９ｍ、高さが１．３ｍ程度であり、満水水位１．０〜１．１ｍにて貯水量はおおむね５０ｔである。
【００３３】
懸架枠９は鋼製であり、図４に示すように、池本体２の上部開口の４つのコーナー部に配置される円弧状のコーナージョイント９ｃと、支持柱体１０が結合される各々直管状の複数の支持ジョイント９ｊと、両端がこれらコーナージョイント９ｃないし支持ジョイント９ｊの内側に挿入結合される直管状の複数の本体管９ｍからなる。また、支持柱体１０は、本実施形態では、図６に示すように断面が扁平長方形状をなし、正面形状は底部が平坦な角Ｕ字状の一体鋼製フレーム部材とされている。支持ジョイント９ｊの側面下部にはソケット部９ｓが一体形成され、支持柱体１０の上部両端が差し込まれて固定される。
【００３４】
図４に戻り、簡易貯水部１２は、側壁２ｓの上縁部に沿って袋状の懸架枠収容部１２ｆが形成され、その内部に懸架枠９が収容されている。図５に示すように、懸架枠収容部１２ｆは、側壁部本体１２ｍとは別体の長尺の可撓姓樹脂シート材を幅方向中央で折り返し、その幅方向両縁部間に側壁部本体１２ｍの上縁部を挟み込んで積層部分を作り、該積層部分に対し長手方向に沿って結合部１２ｂ（例えば、熱圧着部、シーム溶接部、縫合部ないしそれらの組み合わせ）を形成することで側壁部本体１２ｍに結合されている。また、懸架枠収容部１２ｆの外側にて結合部１２ｂの上方には、収容された懸架枠９に結合される複数の支持柱体１０を下方に延出させるための支持柱体延出孔１２ｐが、図４に示すように、懸架枠収容部１２ｆの長手方向に沿って断続的に形成されている。
【００３５】
図７に示すように、簡易貯水部１２は、側壁２ｓの下部から底部２ｂの外周縁に連なる移行部分１２ｒの垂直断面形状が、水を満たした状態において外向きに凸となるアール面状に形成されている。図４に示すように、移行部分１２ｒの形状は、底部２ｂの接地部の寸法Ｅ２が側壁２ｓの上部開口の寸法Ｅ１よりも小さくなるように調整されている。図４に示すように、垂直断面形状において側壁２ｓは貯留水圧に基づき、上縁側から下縁側に向けて下り勾配形状にて外向きに張り出した後、極大点Ｍｘを経て内向きに収縮する形でアール面状の移行部分１２ｒを形成しつつ接地面の外周縁に連なる膨出形態とされている。これにより、注水後の移行部分１２ｒのアール面の半径をより大きく確保できている。また、図７に示すように、簡易貯水部１２の移行部分１２ｒの内面には、可撓性樹脂（例えば、側壁２ｓと同じ材質）よりなる補強シート１２ｔが積層されている。補強シート１２ｔの上下縁部は結合部１２ｇ，１２ｈにより側壁２ｓ及び底部２ｂに対し結合されている。
【００３６】
次に、図４に示すように、支持枠体１１の支持柱体１０は、簡易貯水部１２の側壁２ｓの上側部分に接する形で極大点Ｍｘよりも外側に位置する接地点に向け、外向きに下る傾斜形態で配設されている。そして、支持柱体１０の下端部（Ｕ字の底をなす直線部分）と底部２ｂの接地部分外縁とは、可撓姓樹脂シートからなる底部支持体１３により突っ張り形態にて結合されている。底部支持体１３はＵ字型の支持柱体１０の下端部に結合される帯状部材であり、図６に示すように、第一端側が底部２ｂの接地部分外縁に対し結合部１３ｂにより結合されるとともに、第二端側は支持柱体１０の下端部に三角形状の折返し展張部１３ｃを形成しつつ巻き回されて第一端側に重ね合わされ、接着ないし熱溶着により相互に結合される。
【００３７】
満水状態の簡易貯水部１２は静水圧により側方に膨らみつつ、高さ方向にはつぶれる形で変形しようとする。他方、外向き斜めに配設された支持柱体１０の全長は一定なので、簡易貯水部１２の高さ減少を伴うつぶれ変形は、支持柱体１０の傾斜角を増加させる形で外向きに開かせつつ、その接地点を底部２ｂの接地部分外縁から遠ざけようとする。そこで、支持柱体１０の下端部と底部２ｂの接地部分外縁とを上記のように底部支持体１３により結合しておくと、簡易貯水部１２のつぶれ変形力が底部支持体１３の突っ張り力に変換され、注水された簡易貯水部１２を強固に支持することができる。
【００３８】
池本体２を組み立てる際は、図４を参照しつつ説明すれば、本体管９ｍを支持ジョイント９ｊにより結合して、完成状態の懸架枠９から４つのコーナージョイント９ｃを取り除いた各辺部分を予め組み立てておく。簡易貯水部１２の４つのコーナー部において懸架枠収容部１２ｆには切欠部１２ｃが形成されており、この切欠部１２ｃから各辺部分を、対応する懸架枠収容部１２ｆ内に挿入するとともに、個々の支持ジョイント９ｊのソケット部９ｓを支持柱体延出孔１２ｐに位置合わせし、その下端開口を孔内に露出させる。
【００３９】
その状態で、各辺部分両端に位置する本体管９ｍの切欠部１２ｃ内に露出する端部同士をコーナージョイント９ｃにより結合する。続いて、底部２ｂに結合されている各底部支持体１３の折返し展張部１３ｃに支持柱体１０を一端側から挿通し、下端部に折返し展張部１３ｃを位置合わせした後、両上端部を支持ジョイント９ｊのソケット部９ｓに差し込み固定する。
【００４０】
次に、図１０Ａに示すように、各支持柱体１０を設置面上に垂直に立て、簡易貯水部１２を釣下げた仮組状態とし、図１０Ｂに示すように、簡易貯水部１２内に満水位の１／３前後まで注水する。すると、側壁２ｓの下部が水圧により膨らみ、各支持柱体１０はその膨出力を受けて、懸架枠９に固定された上端を旋回軸として外向きに傾斜する。この状態で、各支持柱体１０の下端を順次外方へ引き出し、弛緩状態の底部支持体１３を展張させて突っ張り状態とする。その後、図１０Ｃに示すように満水位まで注水する。
【００４１】
次に、図２に示すように、循環管路６は、流入口５の形成側末端となる戻り管部６ｄが簡易貯水部１２の上方に配置され、流入口５を簡易貯水部１２内の水面に向けて下向きに開口している。他方、循環管路６の流出口４の形成側末端となる流出管部６ａが簡易貯水部１２の側壁２ｓの上部に結合され、該側壁２ｓを貫通する形で流出口４を開口させている。本実施形態では、流出口４は奥行方向に間隔をおいて２か所形成され、各々流出管部６ａが接続されている。
【００４２】
図８は、流出口４への流出管部６ａの接続形態の一例を示すもので、側壁２ｓに形成された貫通孔に樹脂製のねじ継手４ａを内側からはめ込み、そのフランジ部を周方向に溶接結合することにより流出口４が形成される。他方、流出管部６ａの末端にフランジ継手６ｊを一体化しておき、これをねじ継手４ａに対しシール材４ｂを介して重ね合わせ、外側に継手ナット型のキャップ６ｅを被せてねじ継手４ａと螺合締結することにより流出管部６ａが液密に接続される。
【００４３】
図１１（下）に示すように、簡易貯水部１２内に貯留される水の上層部分は、該流出口４を経て循環管路６（流出管部６ａ）内に流入する。図２及び図３に示すように、循環管路６は、流出口４から簡易貯水部１２の接地面ＧＳよりも下方に位置する揚水ポイントＰＰまで単調に下る形で配設され、該揚水ポイントＰＰに設けられた循環ポンプ７により循環水を簡易貯水部１２内の水面よりも上方に汲み上げつつ流入口５に導く。
【００４４】
また、循環管路６の揚水ポイントＰＰよりも上流側に位置する部分の一部（符号６ｂ、６ｃ）は、簡易貯水部１２の側方（本実施形態では、図１に示すごとく奥行方向第一端側壁部ＷＢ１に隣接する位置）にて、接地面ＧＳから掘り下げ形成された槽収容凹部２４内に配設されている。そして、該部分６ａの途上にて槽収容凹部２４内には循環水を濾過する濾過槽２３が設けられている。
【００４５】
本実施形態では、濾過槽２３は３連の樹脂製ローリータンク２３ａ，２３ｂ，２３ｃにて構成されている。このうち、下流側の２つのタンク２３ｂ，２３ｃが槽収容凹部２４内に配置され（図３に示すごとく、タンク設置面は階段状に形成されている）、最も上流側のタンク２３ａは池本体２の接地面ＧＳ上に配置されている。これら３つのタンク２３ａ，２３ｂ，２３ｃを相互につなぐ接続管路６ｂは、各タンクの幅方向両端に対をなす形で配設されており、上流側がタンク前面下部に接続され、下流側はタンク上面手前に接続されている。また、最も下流側のタンク２３ｃの下部は、図２に示すように、揚水ポイントＰＰを形成する揚水槽２５と接続管路６ｃにより連通接続されている。循環ポンプ７は該揚水槽２５内に配置される水中ポンプとして構成されており、ここに戻り管部６ｄが接続される。
【００４６】
図１及び図２に示すように、陸上養殖用池構造１の池本体２は、樹脂シート製の簡易貯水部１２を土面からなる接地面ＧＰ上に配置する形で形成している。本実施形態では、寒冷地向けの仕様として、接地面ＧＰ（土面）と底部２ｂとの間に押出発泡ポリスチレン断熱材（商標名：スタイロフォーム）等からなる断熱材層が配置されている。
【００４７】
また、図１に示すように、簡易貯水部１２の底部２ｂ上には、貯留水の加熱機構１４が配設されている。図９に示すように、加熱機構１４は、上記底部上に配設される液状加熱媒体１４ｆの流通管路１４ａと、簡易貯水部１２の外に設けられ液状加熱媒体１４ｆを昇温する媒体昇温部１４ｈと、該媒体昇温部１４ｈと流通管路１４ａとの間で液状加熱媒体１４ｆを循環送液させる媒体循環ポンプ１４ｐとを備えている。貯留水は流通管路壁を介した液状加熱媒体１４ｆからの伝熱により加熱される。
【００４８】
流通管路１４ａは、樹脂ホースなどの可撓性材料で構成されており、底部２ｂの全体を均等に加熱できるよう、つづら折れ状に配設されている。液状加熱媒体１４ｆは例えばエチレングリコールを主成分とするもの（例えば、JIS K 2234等に規定されたエンジン用不凍液）が使用される。加熱機構１４は液状加熱媒体１４ｆのリザーバタンク１４ｈを備え、電源１４ｓにより抵抗発熱する電熱線ヒータ１４ｎにより液状加熱媒体１４ｆを加熱する。
【００４９】
エチレングリコールは揮発性が低く、加熱媒体としての取り扱いが容易である。また、比熱も水に近接する大きな値を有し、かつ比重は水よりも若干大きいので、軽い樹脂ホースからなる流通管路１４ａを水底に沈め、底部付近の水に対する加熱効率を高めることができる。さらに、凍結温度が低く、底部水が極度に冷えている場合でも加熱循環を容易に継続することができる。なお、流通管路１４ａは、少なくとも水中に没する区間部分を継ぎ目のない一体の樹脂ホースにて形成し、リザーバタンク１４ｈとの接続部を池本体２の外に配置することが望ましい。
【００５０】
以下、陸上養殖用池構造１の作用・効果について説明する。
陸上養殖用池構造１の池本体２は、図１に示すように、ごく単純な方形平面形状に形成されており、貯留水は池外部の循環管路６を経て循環ポンプ７により循環流動される。その循環のための水の流入口５は、奥行方向第一端側（図面下側）にて幅方向第一端側（図面左側）に寄せて開口形成されており、流出口４が幅方向第二端側（図面右側）にて、流入口５と奥行方向第二端側壁部ＷＢ２との間に位置するように開口形成されている。つまり、図面左下側の角部付近にて流入口５から池本体２内に水が入り、図面右側の側壁部（幅方向第二側壁部）ＷＡ２の中間付近に開口する流出口４から水が流れ出る。
【００５１】
これにより、図１１に示すように、流入口５から池本体２に入った水は、反対側の側壁部ＷＡ２の中間付近に向け、前述の仮想線ＶＤＬ（図１）に沿う斜めの直接流ＤＦを形成しようとする。他方、池の底部２ｂには主散気部３が配置され、その位置は、図１に示すように、奥行方向第二端側壁部ＷＢ２からの距離ＤＡ２が上記仮想線ＶＤＬからの距離ＤＡ１よりも小さくなり、かつ、幅方向中心線ＯＬからの距離ｄｃが、流入口５及び流出口４からの各距離ｄａ１，ｄａ２のいずれよりも小さくなるように設定されている。これにより、図１１に示すごとく、池本体２の幅方向の中間付近にて、静的には水が最も流れやすくなる直接流ＤＦの経路から奥行方向に離間した位置に、気流ＡＦが水面に向けて噴き上げられる。
【００５２】
池本体２の池奥（図面上）側の水は、図面右側の側壁部ＷＡ２の中間に形成された流出口４に向けて流れ込もうとするが、主散気部３からの放射状の気流ＡＦにより該水流は、奥側の側壁部ＷＢ２（池奥方向第二側壁部）及び右側の側壁部ＷＡ２（幅方向第二側壁部）に押しやられ、これら両側壁部ＷＢ２，ＷＡ２に沿う壁面流ＷＦ２，ＷＦ１を形成する。これら壁面流ＷＦ２，ＷＦ１により失われる池奥左側の水は、直接流ＤＦの一部を幅方向左側壁部ＷＡ１に沿った壁面流ＷＦ３として取り込むことにより補われる。本実施形態では、さらに補助散気部８からの気流ＡＦにより、直接流ＤＦの一部が幅方向第一端側壁部ＷＡ１の側に積極的に押しやられることで、壁面流ＷＦ３の形成が促進されている（ただし、池本体２の寸法が小さい場合等は、補助散気部８を省略しても迂回巡回流を十分に形成できる場合がある）。
【００５３】
その結果、流入口５から左側の側壁（幅方向第一端側壁部ＷＡ１）に沿う壁面流ＷＦ３、奥側の側壁（奥行方向第二端側壁部ＷＢ２）に沿う壁面流ＷＦ２及び右側の側壁（幅方向第二端側壁部ＷＡ２）に沿う壁面流ＷＦ１が、流出口４に流れ込む迂回巡回流を形成することとなる。すなわち、本発明によると、主散気部３が形成する壁面流ＷＦ２，ＷＦ１に、流入口５からの流れの一部を壁面流ＷＦ３として取り込みつつ合流させ、流入口５から幅方向第一端側壁部ＷＡ１、奥行方向第二端側壁部ＷＢ２及び幅方向第二端側壁部ＷＡ２に各々沿って流出口４に向かう迂回巡回流が形成されるのである。
【００５４】
上記の位置関係で水循環のための流入口５及び流出口４を池本体２に形成し、池底部２ｂに上記の位置関係で主散気部３を配置することで、流入口５より入った水が主散気部３からの気流ＡＦにより池本体２の側壁ＷＡ１，ＷＢ２及びＷＡ２に沿って迂回しつつ流出口４に向かう流れが形成され、ひいては池本体２の側壁２ｓの内周に沿った巡回流を定常的に形成できる。これにより、極めて簡単な機構によりながら、酸欠等の水流死角が池本体２内に形成されにくくなり、より個体数密度の高い陸上養殖が可能となる。
【００５５】
また、形成される水流は緩やかであり、図１２に示すごとく、稚エビＳＰの水流に逆らった遊泳が容易となり、ストレスが溜まりにくく、死滅率の低い健全な養殖状態を容易に維持できる。そして、池本体２内の稚エビの個体数密度を高めても、稚エビの脱皮が良好に促され、陸上養殖による収穫率を向上できる。なお、池の水交換や収穫時の便宜を図るため、図２に示すように、池本体２内の水を排出する排水管３１を池本体２の下部に設け、排水ポンプ３２により排水する機構を設けることも可能である。
【００５６】
池本体２は、可撓姓樹脂シートからなる簡易貯水部１２とその支持枠体１１で形成される簡素な構成であり、大幅な単純化及び軽量化が図られている。その結果、池本体２内の被養殖物の個体数密度が向上できることとも相まって、設備投資償却部分も含めた被養殖物１つ当たりの養殖コストは大幅に削減される。例えば、従来、冷凍輸入品が主となり生食等はほとんど不可能と見られていたバナメイエビ等について、清潔な陸上養殖が実現することで活け魚と同等の取り扱いが可能となり、刺身等での提供すらも可能になる期待が寄せられているが、養殖コストがかさむことから市販価格も輸入品等に比べるとかなり割高となっている。しかし、本発明の採用により、こうした活け魚扱いのバナメイエビ等を手ごろな価格で供給することが可能となり、陸上養殖品の普及に大きく貢献できる。
【００５７】
また、本実施形態で採用している簡易貯水部１２は、樹脂シート製の側壁２ｓに流出口４を貫通形成することが容易であり、図１１のごとく、水面と平行な流れ成分を主体に池本体２内の水を流出口４から排出でき、迂回巡回流の形成にも有利に貢献する。そして、図１に示すように、循環管路６の流出管部６ａを簡易貯水部１２の側壁２ｓの上部に結合し、図１１に示すように、貯留される水の上層部分を流出口４から流出管部６ａ内に流入させるようにしておくことで、水底から湧き上がりつつ放射状の水面流を作る主散気部３からの気流ＡＦと、上層部の水を流出口４から側方に導く流れＳＦとの、迂回巡回流の形成のための連携が促進されている。
【００５８】
また、戻り管部６ｄ先端の流入口５が水面に向けて下向きに開口しており、液面上方から水が流下するようになっているので、落下した水流を液面に沿って緩やかに広げることができる。その結果、形成される迂回巡回流の速度との整合も取りやすく、流入水特有の激流により被養殖物が受けるストレスを緩和することができる。
【００５９】
図２等に示すように、循環管路６は、流出口４から接地面ＧＳよりも下方の揚水ポイントＰＰまでが下り形態となっており、池本体２から流出する水の位置エネルギーがより大きく確保できることから、迂回巡回流のより顕著な形成に貢献している。また、この区間に濾過槽２３が設けられていることにより、濾過槽２３の通過圧損が水の位置エネルギーにより補われ、濾過槽２３の通水速度ひいては濾過効率が高められている。
【００６０】
さらに、図７に示すように、簡易貯水部１２の下部にアール面状の移行部分１２ｒが水圧を利用して膨出形成されていることで、底部２ｂ付近のよどみが生じにくくなり、迂回巡回流の水深方向への広がりも確保しやすくなる。また、エビＳＰ（特に稚エビ）はこうしたアール面形状の区域を好んで集まって遊泳する習性があり、水中での活動を活発化させ、脱皮促進も図ることができる。さらに、アール面形状の区域は、エビＳＰを収穫する際も網をふるいやすく、特に遊泳方向後ろ側（エビは流れに逆らって泳ぐので、迂回巡回流を前方から受け止める向きとなる）から網ですくうと、一度に大量のエビＳＰを網内に導くことができ、収穫時の作業効率を高めることができる。
【００６１】
図１に示すごとく、簡易貯水部１２が土面上に配置されることで、冬季や寒冷地での陸上養殖を遂行するにあたっても、貯留された水の底部が接地面の冷気により極度に冷たくなる不具合が解消される。エビの養殖の場合、アール面状に膨らんだ簡易貯水部１２の底部２ｂ付近に集まる傾向が高いが、池本体２の底部２ｂが蓄冷能の大きいコンクリート壁等で形成されていると、温水（例えば２５℃以上２８℃以下）を好むエビの活動が鈍ったり、衰弱したりする恐れが高くなる。しかし、上記の簡易貯水部１２の底部２ｂは蓄冷能の低い可撓性樹脂シートであり、断熱材層２６を介して冷えにくい土面と接していることで、底部２ｂ付近の水温を適温に維持しやすい。また、簡易貯水部１２の底部２ｂ上には加熱機構１４が設けられているので、底部２ｂ付近の水温を高める効果はさらに顕著となっている。
【００６２】
なお、設置先が温暖である場合は、池本体２をコンクリート等により築造することももちろん可能であるし、簡易貯水部１２を用いる場合も、コンクリート設置面上に配置すること、断熱材層２６や加熱機構１４を省略することなども可能である。
【００６３】
また、図１３に示すように、池本体２の底部に流出口を形成するとともに、槽支持枠５１により濾過槽２３を水面よりも上方に配設し、底部から循環管路６に流出する水を揚水ポンプ７により汲み上げて濾過槽２３に導き、順次濾過しながら下方の流入口５より池本体２に戻して循環させる構成も可能である。
【００６４】
以上、本発明の実施の形態について説明したが、あくまで例示であって、本発明はこれに限定されるものではない。例えば、養殖対象物はエビに限らず、マス、ふぐ、マグロなどの魚類や、アワビなどの貝類も本発明の適用対象となりえる。
【符号の説明】
【００６５】
１  陸上養殖用池構造
２  池本体
３  主散気部
４  流出口
５  流入口
６  循環管路
７  循環ポンプ
８  補助散気部
９  懸架枠
１０  支持柱体
１１  支持枠体
１２  簡易貯水部
１３  底部支持体
１４  加熱機構
【図１】
2019068791.tif 000003
【図２】
2019068791.tif 000004
【図３】
2019068791.tif 000005
【図４】
2019068791.tif 000006
【図５】
2019068791.tif 000007
【図６】
2019068791.tif 000008
【図７】
2019068791.tif 000009
【図８】
2019068791.tif 000010
【図９】
2019068791.tif 000011
【図１０Ａ】
2019068791.tif 000012
【図１０Ｂ】
2019068791.tif 000013
【図１０Ｃ】
2019068791.tif 000014
【図１１】
2019068791.tif 000015
【図１２】
2019068791.tif 000016
【図１３】
2019068791.tif 000017